(57)【要約】【課題】原稿押さえ面の弾力性、白色性を損なうことなく、読み取られた原稿の画像データの内容を確認しやすい原稿読取装置を提供すること。【解決手段】原稿台ガラス１０に置かれた原稿を押圧する原稿押圧板１１と、前記原稿を読み取り、当該原稿に対応する原稿画像データを生成するスキャン部（２２）を備えた原稿読取装置１において、原稿押圧板１１が開放状態において、スキャン部（２２）が生成した原稿画像データを、原稿押圧板１１の背面板１１ａに投影する画像投影器１２を備える。【選択図】図１
2009260410.tif 000002
【特許請求の範囲】
【請求項１】
原稿台ガラスに置かれた原稿を押圧する原稿押圧板と、前記原稿を読み取り、当該原稿に対応する原稿画像データを生成するスキャン部を備えた原稿読取装置において、
前記原稿押圧板が開放状態において、前記スキャン部が生成した原稿画像データを、前記原稿押圧板の原稿台ガラスに接する面に投影する投影器を備えたことを特徴とする原稿読取装置。
【請求項２】
原稿台ガラスに対する原稿押圧板の傾き角度を検知する角度検知器を備え、前記角度検知器が検知した傾き角度に応じて、前記投影器に入力する原稿画像データを、前記原稿押圧板に投影される底辺部より上方部の原稿画像データについて縮小又は拡大することを特徴とする請求項１に記載の原稿読取装置。
【請求項３】
請求項１又は２に記載の原稿読取装置を備えたことを特徴とする画像形成装置。
【請求項４】
前記画像形成装置に接続される外部機器が送信した原稿画像データを、前記原稿押圧板の前記原稿台ガラスに接する面に投影することを特徴とする請求項３に記載の画像形成装置。
【発明の詳細な説明】
【技術分野】
【０００１】
本発明は、原稿を読み取り原稿画像データを生成する原稿読取装置に係わり、特に、読み取った原稿の画像データを確認できる原稿読取装置に関する。
【背景技術】
【０００２】
原稿読取装置（スキャナ）によって、ユーザの意図した通りに原稿が読み取られているか、読み取られた原稿の画像データにズレや、かすれ等があるか否かを確認するための方法が様々提案されている。
【０００３】
前記確認方法の一例として、特許文献１には、スキャナによって読み取られた原稿の画像データを操作パネルに表示する画像処理装置が開示されている。
【０００４】
また、特許文献２には、読み取り原稿を押さえるための原稿押圧板の原稿押さえ面側に、読み取られた原稿の画像データなどを表示するための電子ペーパを設け、当該電子ペーパを介して、原稿の画像データを確認することができる画像形成装置が開示されている。
【特許文献１】特開２００４−７２４８１号公報
【特許文献２】特開２００８−１５２９０号公報
【発明の開示】
【発明が解決しようとする課題】
【０００５】
しかし、特許文献１に開示された画像処理装置では、操作パネルの表示領域が狭いため、ユーザは、読み取られた原稿の画像データの内容を確認しづらい。
また、特許文献２に開示された画像形成装置のように、原稿押圧板の原稿押さえ面側に、電子ペーパを設けると、原稿押さえ面の弾力性、白色性が損なわれてしまう。
【０００６】
本発明は、かかる実情に鑑みてなされたものであり、原稿押さえ面の弾力性、白色性を損なうことなく、読み取られた原稿の画像データの内容を確認しやすい原稿読取装置を提供することを目的とする。
【課題を解決するための手段】
【０００７】
第１の技術手段は、原稿台ガラスに置かれた原稿を押圧する原稿押圧板と、前記原稿を読み取り、当該原稿に対応する原稿画像データを生成するスキャン部を備えた原稿読取装置において、前記原稿押圧板が開放状態において、前記スキャン部が生成した原稿画像データを、前記原稿押圧板の原稿台ガラスに接する面に投影する投影器を備えたことを特徴とする原稿読取装置である。
第２の技術手段は、第１の技術手段において、原稿台ガラスに対する原稿押圧板の傾き角度を検知する角度検知器を備え、前記角度検知器が検知した傾き角度に応じて、前記投影器に入力する原稿画像データを、前記原稿押圧板に投影される底辺部より上方部の原稿画像データについて縮小又は拡大することを特徴とする。
第３の技術手段は、第１又は第２の技術手段の原稿読取装置を備えたことを特徴とする画像形成装置である。
第４の技術手段は、第３の技術手段において、前記画像形成装置に接続される外部機器が送信した原稿画像データを、前記原稿押圧板の前記原稿台ガラスに接する面に投影することを特徴とする。
【発明の効果】
【０００８】
本発明により、原稿押さえ面の弾力性、白色性を損なうことなく、ユーザが、読み取られた原稿の画像データの内容を確認しやすい原稿読取装置を提供することができる。
【発明を実施するための最良の形態】
【０００９】
図１は、本発明に係わる原稿読取装置１の外観図である。
１１は、原稿台ガラス１０に置かれた原稿を押圧する原稿押圧板であり、原稿台ガラス１０に接する背面板１１ａは白色板となっている。また、当該背面板１１ａは、弾力性のある部材から構成されている。
【００１０】
１２は、画像投影器で、原稿押圧板１１が開放状態において、後述のスキャン部が生成した、原稿台ガラス１０に置かれた原稿の画像データ（原稿画像データ）を、原稿押圧板１１の原稿台ガラスに接する面（背面板１１ａ）に投影する。
【００１１】
１３は、液晶タッチパネル等から構成される操作パネルであり、当該パネルを介してユーザは、原稿読取装置１を操作する。
【００１２】
ユーザが、原稿押圧板１１を開き、原稿台ガラス１０に原稿を置き、開いた原稿押圧板１１を閉じて、原稿読取装置１に当該原稿の読み取りを操作パネル１３から指示すると、原稿読取装置１は、当該原稿を読み取り、原稿画像データを生成する。
【００１３】
生成された原稿画像データは、画像投影器１２によって、図２に示すように原稿押圧板１１の背面板１１ａに投影される。
【００１４】
次に、原稿読取装置１の詳細について説明する。
図３（Ａ）は、原稿読取装置１の原稿押圧板１１が閉じられた状態を示す原稿読取装置１の上部側面図で、図３（Ｂ）は、同原稿押圧板１１が開かれた状態を示す原稿読取装置１の上部側面図である。
【００１５】
１１ｂは、原稿押圧板１１を原稿読取装置１に対し回動可能に軸支する支持軸である。
また、支持軸１１ｂと同軸に、原稿台ガラス１０に対する原稿押圧板１１の傾き角度を検知する角度検知器１４が設けられている。
【００１６】
１５は、原稿押圧板１１の開閉を検知する開閉検知器である。
【００１７】
図４（Ａ）、図５（Ａ）は、前述した、原稿画像データの投影状態を説明する原稿読取装置１の上部側面図である。
図４（Ａ）に示したように、θ１＝θ２、Ｌ１＝Ｌ２の関係を満たす場合、押圧板１１の背面板１１ａには、例えば図４（Ｂ）に示す、歪みのない画像Ｐ１が表示される。
【００１８】
ここで、θ１は、原稿台ガラス１０に対する原稿押圧板１１の傾き角度を示し、θ２は、原稿台ガラス１０に対する画像投影器１２のレンズ１２ａの傾き角度を示す。
また、Ｌ１は、画像投影器１２のレンズ１２ａと原稿押圧板１１の背面板１１ａの最上点Ｕとの距離を示し、Ｌ２は、画像投影器１２のレンズ１２ａと原稿押圧板１１の背面板１１ａの最下点Ｄとの距離を示す。
【００１９】
しかし、図５（Ａ）に示したように、θ１＞θ２、Ｌ１＞Ｌ２の場合、押圧板１１の背面板１１ａには、例えば図５（Ｂ）に示す、台形に歪んだ画像Ｐ２が表示されることになる。
そこで、原稿押圧板１１の傾き角度θ１に応じて生じる縦台形歪みを補正するために、画像Ｐ１の画像データを、点線で示す画像Ｐ３の画像データのように補正して表示しなければならない。なお、画像Ｐ２、画像Ｐ３の内容（線、図形）については図示を省略している。
【００２０】
図６は、前記画像の縦台形歪みを補正できる原稿読取装置１のブロック図である。
本発明に係わる原稿読取装置１は、投影用画像データ生成部１６を備え、当該生成部１６は、原稿押圧板１１の傾き角度θ１に応じて、画像投影器１２に入力する原稿画像データを、原稿押圧板１１に投影される底辺部より上方部の当該原稿画像データについて、縮小又は拡大する縦台形歪み補正処理を施して、画像投影器１２に出力する。
【００２１】
画像投影器１２は、前記画像処理が施された原稿画像データの入力により、押圧板１１の背面板１１ａに台形歪みが補正された画像を投影する。
【００２２】
また、２１は、ネットワークＩ／Ｆで、ネットワークＮに対するインターフェイス機能を提供し、当該ネットワークＮに接続しているＰＣ、ＭＦＰ（図示しない）等とデータ送受信を実行する。
【００２３】
スキャン部２２は、原稿台ガラス１０に置かれた原稿を読み取り、読み取った原稿に対応する原稿画像データを生成し、生成した原稿画像データを投影用画像データ生成部１６／ＨＤＤ２４に出力する。
【００２４】
２３は、各種制御情報などを記憶するメモリ、ＨＤＤ２４は、スキャン部２２が生成した原稿画像データや前述したＰＣ、ＭＦＰが送信した原稿画像データ等の電子データを記録する。２５は、各機能ブロックを制御する制御部である。
【００２５】
ここで、前述した投影処理及び歪み補正処理の詳細を説明する。なお、ユーザは、操作パネル１３を介して、読み取り原稿確認処理を原稿読取装置１に指示する。
【００２６】
原稿読取装置１の原稿押圧板１１を開き、原稿台ガラス１０に原稿を置いて、開いた原稿押圧板１１を閉じ、原稿読取装置１に当該原稿の読み取りを操作パネル１３から指示すると、スキャン部２２は、当該原稿を読み取り、原稿画像データを生成し、投影用画像データ生成部１６に出力する。
【００２７】
原稿の読み取りが終了して、ユーザが原稿読取装置１の原稿押圧板１１を開くと、開閉検知器１５は、原稿読取装置１の原稿押圧板１１の開状態を検知し、投影用画像データ生成部１６に出力する。
角度検知器１４は、原稿台ガラス１０に対する原稿押圧板１１の傾き角度θ１を検知し、検知結果を投影用画像データ生成部１６に出力する。
【００２８】
スキャン部２２からの原稿画像データ及び角度検知器１４からの原稿押圧板１１の傾き角度θ１を受信した投影用画像データ生成部１６は、例えば図７に示す補正用テーブルに基づき、画像投影器１２に入力する原稿画像データを、原稿押圧板１１に投影される底辺部より上方部の当該原稿画像データについて、所定の縮小又は拡大処理をする。
【００２９】
図７は、補正用テーブル５１の一例で、５１ａは、角度検知器１４からの原稿押圧板１１の傾き角度θ１が設定されている角度欄で、５１ｂは、画像投影器１２に入力する原稿画像データにおける、原稿押圧板１１の背面板１１ａの最上点Ｕから同最下点Ｄにおける横幅Ｌｗの縮小率が設定されている縮小率欄である。ここで、原稿台ガラス１０に対する画像投影器１２のレンズ１２ａの傾き角度θ２は、４５°としている。
【００３０】
前記補正処理を具体的に説明すると、角度検知器１４によって検知された原稿押圧板１１の傾き角度θ１が６０°の場合、投影用画像データ生成部１６は、画像投影器１２に入力する原稿画像データについて、押圧板１１の背面板１１ａの最上点Ｕに対応する当該原稿画像データの上辺部の幅が、同最下点Ｄに対応する当該原稿データの底辺部の幅の０．９０倍になるように縮小し、当該底辺部に向かうに従って当該原稿画像データの幅の縮小率を徐々に小さくする補正処理を施した等脚台形型の原稿画像データを生成する。
また、投影用画像データ生成部１６は、前記生成した等脚台形型の原稿画像データの縦幅を縮小する補正を行う。
そして、このように縮小した原稿画像データを画像投影器１２に出力する。
【００３１】
このようにすることで、ユーザは、読み取った原稿の内容を確認し易くなり、利便性が向上する。
また、原稿押圧板１１の背面板（白書板）１１ａの白色性、弾力性を損なうこともない。
【００３２】
（その他）
前述した実施例では、θ１＞θ２の場合について説明したが、θ１＜θ２の場合には、投影用画像データ生成部１６は、押圧板１１の背面板１１ａの最上点Ｕに対応する原稿画像データの幅を、同最下点Ｄに対応する原稿データの底辺部の幅よりも拡大した等脚台形型の原稿画像データを生成する。
【００３３】
原稿押圧板１１の開閉を検知する開閉検知器１５を設けたが、当該開閉検知器１５がなくても、角度検知器１４が検知した原稿押圧板１１の傾き角度に基づき、原稿押圧板１１の開閉を検知してもよい。
【００３４】
本発明に係わる原稿読取装置を、例えば、ＭＦＰ等の画像形成装置に搭載することができる。この場合、前記画像形成装置にネットワークＮを介して接続されるＰＣ等の外部機器が送信した原稿画像データに、投影用画像データ生成部１６が前述した補正処理を施す。
【図面の簡単な説明】
【００３５】
【図１】本発明に係わる原稿読取装置の外観図である。
【図２】原稿押圧板の背面板に投影される画像である。
【図３】原稿読取装置の上部側面図である。
【図４】原稿画像データの投影状態を説明する原稿読取装置の上部側面図の一例である。
【図５】原稿画像データの投影状態を説明する原稿読取装置の上部側面図の他の例である。
【図６】本発明に係わる原稿読取装置のブロック図である。
【図７】補正用テーブルを示した図である。
【符号の説明】
【００３６】
１…原稿読取装置、１０…原稿台ガラス、１１…原稿押圧板、１１ａ…背面板、１１ｂ…支持軸、１２…画像投影器、１２ａ…レンズ、１３…操作パネル、１４…角度検知器、１５…開閉検知器、１６…投影用画像データ生成部、２１…ネットワークＩ／Ｆ、２２…スキャン部、２３…メモリ、２４…ＨＤＤ、２５…制御部、５１…補正用テーブル、Ｐ１〜Ｐ３…画像。
【図１】
2009260410.tif 000003
【図２】
2009260410.tif 000004
【図３】
2009260410.tif 000005
【図４】
2009260410.tif 000006
【図５】
2009260410.tif 000007
【図６】
2009260410.tif 000008
【図７】
2009260410.tif 000009